(57)【要約】【課題】  取付ネジを露出させずに化粧カバーを取り付けることができるピボットヒンジを提供する。【解決手段】  ピボットヒンジ１のヒンジ主体３には、化粧カバー４で被覆される面の縁部に係合部５１を両側方向に突設し、化粧カバー４には、カバー側部４２の内面の両側に前記ヒンジ主体３の係合部５１に被嵌させる凹部４４を形成する。化粧カバー４をヒンジ主体３に被せ、化粧カバー４の凹部４４をヒンジ主体３の係合部５１に被嵌させる。化粧カバー４の内面の両側の凹部４４はヒンジ主体３の両側の係合部５１をヒンジ主体３の中心方向に挟持して、化粧カバー４はヒンジ主体３を挟持する状態となって、化粧カバー４はヒンジ主体３に取り付けられる。【選択図】  図３
2006328689.tif 000002
【特許請求の範囲】
【請求項１】
ピボットおよび軸受けが開き戸の扉本体の厚み外に位置し、枠体に対して扉本体を開閉自在に取り付けるピボットヒンジであって、
扉本体または枠体に固定されるヒンジ基部と、
前記ヒンジ基部から扉本体の厚み外の位置に延設されてピボットまたは軸受けが設けられるとともに、上面部または下面部のうち後記化粧カバーで被覆される面の縁部に係合部が両側方向に突設されるヒンジ主体と、
前記ヒンジ主体の上面部または下面部を被覆するカバー天部、ヒンジ主体の側面部を被覆するカバー側部、および前記カバー天部の内面の両側に形成されて前記ヒンジ主体の両側の係合部に被嵌させることにより前記両側の係合部をヒンジ主体の中心方向に挟持する凹部、を有する化粧カバーと、
を備えたことを特徴とするピボットヒンジ。
【請求項２】
化粧カバーのカバー側部の両側の内面に、カバー側部の内側方向に突出する凸部を設け、カバー天部の内面と前記凸部との間に凹部を形成したことを特徴とする請求項１に記載のピボットヒンジ。
【請求項３】
凸部は、カバー側部の内側方向に突出する当接部を有するとともにカバー天部の内面と前記当接部との間に凹部を形成しており、前記凹部に被嵌されたヒンジ主体の両側のそれぞれの係合部をカバー天部の内面と前記当接部とで上下方向に挟持することを特徴とする請求項２に記載のピボットヒンジ。
【請求項４】
ヒンジ主体の上面部または下面部のうち化粧カバーで被覆される面に係合部材を取り付け、前記係合部材の縁部を前記面の縁部から突出させることにより、ヒンジ主体の両側に係合部を形成したことを特徴とする請求項１から３のいずれか１項に記載のピボットヒンジ。
【請求項５】
ヒンジ主体の上面部または下面部のうち化粧カバーで被覆される面にネジ孔が形成され、係合部材は前記ネジ孔に螺合する取付ネジでヒンジ主体に取り付けられることを特徴とする請求項４に記載のピボットヒンジ。
【請求項６】
ピボットおよび軸受けが開き戸の扉本体の厚み外に位置し、枠体に対して扉本体を開閉自在に取り付けるピボットヒンジの化粧カバーの取付構造であって、
ピボットヒンジは、
扉本体または枠体に固定されるヒンジ基部と、
前記ヒンジ基部から扉本体の厚み外の位置に延設されてピボットまたは軸受けが設けられるとともに、上面部または下面部のうち化粧カバーで被覆される面にネジ孔が形成され、係合部材は前記ネジ孔に螺合する取付ネジでヒンジ主体に取り付け、当該面の縁部に係合部が両側方向に突設されるヒンジ主体と、
前記ヒンジ主体の上面部または下面部を被覆するカバー天部、ヒンジ主体の側面部を被覆するカバー側部、および前記カバー天部の内面の両側に形成されて前記ヒンジ主体の両側の係合部に被嵌させることにより前記両側の係合部をヒンジ主体の中心方向に挟持する凹部、を有する化粧カバーと、
を備えており、
化粧カバーをヒンジ主体に被せ、化粧カバーの内面の両側に形成された凹部をヒンジ主体の両側の係合部に被嵌させることにより、化粧カバーの内面の両側の凹部はヒンジ主体の両側の係合部をヒンジ主体の中心方向に挟持し、化粧カバーはヒンジ主体をヒンジ主体の中心方向に向けて挟持することを特徴とするピボットヒンジの化粧カバーの取付構造。
【発明の詳細な説明】
【技術分野】
【０００１】
本発明は、ピボットヒンジおよびピボットヒンジの化粧カバーの取付構造に関する。
【背景技術】
【０００２】
ピボットおよび軸受けが開き戸の扉本体の厚み外に位置し、枠体に対して扉本体を開閉自在に取り付けるピボットヒンジは、扉本体または枠体に固定されるヒンジ基部と、前記ヒンジ基部から扉本体の厚み外の位置に延設されてピボットまたは軸受けが設けられるヒンジ主体と、ヒンジ主体を被覆する化粧カバーとを有している。
【０００３】
前記化粧カバーは、扉本体または枠体の外部に位置する前記ヒンジ主体を被覆して、ピボットヒンジの外観体裁を向上させる目的で設けられる。化粧カバーは、ヒンジ主体の上面部または下面部を被覆するカバー天部と、ヒンジ主体の側面部を被覆するカバー側部とを有しており、ヒンジ主体に被嵌される。ヒンジ主体の上面部または下面部のいずれを被覆するかは、ヒンジ主体が扉本体または枠体のどの位置に取り付けられるかによって決定される。すなわち、人の目線より高い位置に取り付けられるヒンジ主体には、人の目が届くヒンジ主体の下面部を被覆するように化粧カバーが設けられる。反対に、人の目線より低い位置に取り付けられるヒンジ主体には、人の目が届くヒンジ主体の上面部を被覆するように化粧カバーが設けられる。
【０００４】
従来の化粧カバーの取り付けは、ヒンジ主体の上面部または下面部にネジ孔を設け、化粧カバーのカバー天部には前記ネジ孔に対応する位置に透孔が設けられており、取付ネジを前記ネジ孔に螺合させて化粧カバーをヒンジ主体に取り付けていた（例えば、特許文献１参照。）。
【０００５】
また、取付ネジを用いずに化粧カバーをヒンジ主体に取り付けるピボットヒンジとして、ヒンジ主体の側面部に切欠部を設け、化粧カバーのカバー側部に前記切欠部に対応する突起部を設け、ヒンジ主体に化粧カバーを被嵌させるとともに、ヒンジ主体の切欠部に化粧カバーの突起部を嵌合させるピボットヒンジが知られている（例えば、特許文献２参照。）。
【特許文献１】特開平１０−２４６０５８号公報、図２
【特許文献２】実公昭３８−６２８１号公報
【発明の開示】
【発明が解決しようとする課題】
【０００６】
ところで近年、扉はデザイン性が重視されており、取付ネジが露出するとデザイン性を損なうため、取付ネジは極力目に付かない位置に設ける必要がある。しかし、化粧カバーの取付ネジがカバー天部に露出している上記従来のピボットヒンジの場合、扉本体の上部に設けられるヒンジ主体では、ヒンジ主体の下面部側に取付ネジが露出し、扉本体の下部に設けられるヒンジ主体では、ヒンジ主体の上面部側に取付ネジが露出するため、化粧カバーの取付ネジが人の目の届く目立つ位置に露出して、せっかくの扉のデザイン性を損なうという問題があった。
【０００７】
また、取付ネジを用いずに化粧カバーを取り付ける上記従来のピボットヒンジでは、ヒンジ主体に予め切欠部を形成しておく必要があるため、化粧カバーを取り付けるためのヒンジ主体の構造が複雑となり、加工にも手数がかかるという問題があった。
【０００８】
更に、開き戸に既設されている従来のピボットヒンジについても、ヒンジ主体の形状はそのまま変更せず、部材の追加を行うことによって取付ネジが露出しないピボットヒンジに改造することが望まれていた。
【０００９】
そこで本発明は、取付ネジを露出させずに化粧カバーを取り付けることができるピボットヒンジの提供を第１の目的とする。
【００１０】
また、化粧カバーを取り付けるためのヒンジ主体の構造を簡単とし、加工にも手数がかからないピボットヒンジの提供を第２の目的とする。
【００１１】
更に、開き戸に既設されている従来のピボットヒンジであっても、ヒンジ主体の形状はそのまま変更せず、部材の追加を行うことによって取付ネジが露出しないピボットヒンジに改造することができるピボットヒンジの化粧カバーの取付構造の提供を第３の目的とする。
【課題を解決するための手段】
【００１２】
前記目的を達成するため、請求項１に記載の発明では、ピボットおよび軸受けが開き戸の扉本体の厚み外に位置し、枠体に対して扉本体を開閉自在に取り付けるピボットヒンジであって、
扉本体または枠体に固定されるヒンジ基部と、
前記ヒンジ基部から扉本体の厚み外の位置に延設されてピボットまたは軸受けが設けられるとともに、上面部または下面部のうち後記化粧カバーで被覆される面の縁部に係合部が両側方向に突設されるヒンジ主体と、
前記ヒンジ主体の上面部または下面部を被覆するカバー天部、ヒンジ主体の側面部を被覆するカバー側部、および前記カバー天部の内面の両側に形成されて前記ヒンジ主体の両側の係合部に被嵌させることにより前記両側の係合部をヒンジ主体の中心方向に挟持する凹部、を有する化粧カバーと、を備えた。
【００１３】
請求項２に記載の発明では、請求項１に記載の発明において、化粧カバーのカバー側部の両側の内面に、カバー側部の内側方向に突出する凸部を設け、カバー天部の内面と前記凸部との間に凹部を形成した。
【００１４】
請求項３に記載の発明では、請求項２に記載の発明において、凸部は、カバー側部の内側方向に突出する当接部を有するとともにカバー天部の内面と前記当接部との間に凹部を形成しており、前記凹部に被嵌されたヒンジ主体の両側のそれぞれの係合部をカバー天部の内面と前記当接部とで上下方向に挟持することとした。
【００１５】
請求項４に記載の発明では、請求項１から３のいずれか１項に記載の発明において、ヒンジ主体の上面部または下面部のうち化粧カバーで被覆される面に係合部材を取り付け、前記係合部材の縁部を前記面の縁部から突出させることにより、ヒンジ主体の両側に係合部を形成することとした。
【００１６】
請求項５に記載の発明では、請求項４に記載の発明において、ヒンジ主体の上面部または下面部のうち化粧カバーで被覆される面にネジ孔が形成され、係合部材は前記ネジ孔に螺合する取付ネジでヒンジ主体に取り付けられることとした。
【００１７】
請求項６に記載の発明では、ピボットおよび軸受けが開き戸の扉本体の厚み外に位置し、枠体に対して扉本体を開閉自在に取り付けるピボットヒンジの化粧カバーの取付構造であって、ピボットヒンジは、
扉本体または枠体に固定されるヒンジ基部と、
前記ヒンジ基部から扉本体の厚み外の位置に延設されてピボットまたは軸受けが設けられるとともに、上面部または下面部のうち化粧カバーで被覆される面にネジ孔が形成され、係合部材は前記ネジ孔に螺合する取付ネジでヒンジ主体に取り付け、当該面の縁部に係合部が両側方向に突設されるヒンジ主体と、
前記ヒンジ主体の上面部または下面部を被覆するカバー天部、ヒンジ主体の側面部を被覆するカバー側部、および前記カバー天部の内面の両側に形成されて前記ヒンジ主体の両側の係合部に被嵌させることにより前記両側の係合部をヒンジ主体の中心方向に挟持する凹部、を有する化粧カバーと、
を備えており、
化粧カバーをヒンジ主体に被せ、化粧カバーの内面の両側に形成された凹部をヒンジ主体の両側の係合部に被嵌させることにより、化粧カバーの内面の両側の凹部はヒンジ主体の両側の係合部をヒンジ主体の中心方向に挟持し、化粧カバーはヒンジ主体をヒンジ主体の中心方向に向けて挟持することを特徴とするピボットヒンジの化粧カバーの取付構造とした。
【００１８】
（作用）
従って、請求項１に記載の発明では、化粧カバーをヒンジ主体に被せ、化粧カバーの内面の両側に形成された凹部をヒンジ主体の両側の係合部に被嵌させる。化粧カバーの内面の両側の凹部はヒンジ主体の両側の係合部をヒンジ主体の中心方向に挟持するため、化粧カバーはヒンジ主体をヒンジ主体の中心方向に向けて挟持する状態となって、化粧カバーはヒンジ主体に取り付けられる。そして、化粧カバーのカバー天部はヒンジ主体の上面部または下面部を被覆し、化粧カバーのカバー側部はヒンジ主体の側面部を被覆する。
【００１９】
請求項２に記載の発明では、請求項１に記載の発明において、化粧カバーのカバー側部の両側の内面に、カバー側部の内側方向に突出する凸部を設けることにより、カバー天部の内面と前記凸部との間にヒンジ主体の係合部を挟持する凹部を形成する。
【００２０】
請求項３に記載の発明では、請求項２に記載の発明において、凸部は、カバー側部の内側方向に突出する当接部を有するとともにカバー天部の内面と前記当接部との間に凹部を形成する。化粧カバーをヒンジ主体に被せ、化粧カバーの内面の両側に形成された凹部をヒンジ主体の両側の係合部に被嵌させると、化粧カバーの内面の両側の凹部はヒンジ主体の両側の係合部をヒンジ主体の中心方向に挟持するため、化粧カバーはヒンジ主体をヒンジ主体の中心方向に向けて挟持する状態となる。また、凹部は、カバー天部の内面と前記当接部とで、前記凹部に被嵌されたヒンジ主体の両側のそれぞれの係合部を上下方向に挟持する。
【００２１】
請求項４に記載の発明では、請求項１から３のいずれか１項に記載の発明において、ヒンジ主体の上面部または下面部のうち化粧カバーで被覆される面に係合部材を取り付け、前記係合部材の縁部を前記面の縁部から突出させることにより、ヒンジ主体の両側に係合部を形成する。
【００２２】
請求項５に記載の発明では、請求項４に記載の発明において、ヒンジ主体の上面部または下面部のうち化粧カバーで被覆される面にネジ孔が形成され、係合部材は前記ネジ孔に螺合する取付ネジでヒンジ主体に取り付けられる。前記係合部材の縁部を前記面の縁部から突出させることにより、ヒンジ主体の両側に係合部が形成される。
【００２３】
請求項６に記載の発明では、扉に既設されているピボットヒンジが、化粧カバーの外面に取付ネジが露出したピボットヒンジであっても、ヒンジ主体の上面部または下面部のうち化粧カバーで被覆されている面にネジ孔を有していれば、まず、既設の化粧カバーを除去し、次に係合部材を前記ネジ孔に螺合する取付ネジでヒンジ主体に取り付けて、当該面の縁部に係合部が両側方向に突設されるヒンジ主体とする。そして、カバー天部の内面の両側に凹部を形成した新たな化粧カバーをヒンジ主体に被せ、化粧カバーの内面の両側に形成された凹部をヒンジ主体の両側の係合部に被嵌させることにより、化粧カバーの内面の両側の凹部はヒンジ主体の両側の係合部をヒンジ主体の中心方向に挟持し、化粧カバーはヒンジ主体をヒンジ主体の中心方向に向けて挟持する状態となって、化粧カバーはヒンジ主体に取り付けられる。
【発明の効果】
【００２４】
請求項１から５に記載の発明によれば、化粧カバーの内面の両側の凹部はヒンジ主体の両側の係合部をヒンジ主体の中心方向に挟持するため、化粧カバーはヒンジ主体をヒンジ主体の中心方向に向けて挟持する状態となって、化粧カバーはヒンジ主体に取り付けられる。よって、化粧カバーの外面に取付ネジを露出させずに化粧カバーを取り付けることができ、外観体裁が良好となり、扉のデザイン性を向上させることができる。
【００２５】
請求項２に記載の発明によれば、化粧カバーのカバー側部の両側の内面に、カバー側部の内側方向に突出する凸部を設けることにより、カバー天部の内面と前記凸部との間にヒンジ主体の係合部を挟持する凹部が形成される。化粧カバーの内面の両側の凹部はヒンジ主体の両側の係合部をヒンジ主体の中心方向に挟持するため、化粧カバーはヒンジ主体をヒンジ主体の中心方向に向けて挟持する状態となって、化粧カバーはヒンジ主体に取り付けられる。
【００２６】
請求項３に記載の発明によれば、凸部は、カバー側部の内側方向に突出する当接部を有するとともにカバー天部の内面と前記当接部との間に凹部を形成する。化粧カバーをヒンジ主体に被せ、化粧カバーの内面の両側に形成された凹部をヒンジ主体の両側の係合部に被嵌させると、化粧カバーの内面の両側の凹部はヒンジ主体の両側の係合部をヒンジ主体の中心方向に挟持して化粧カバーはヒンジ主体をヒンジ主体の中心方向に向けて挟持する状態となり、また、前記凹部に被嵌されたヒンジ主体の両側のそれぞれの係合部は、カバー天部の内面と前記当接部とで上下方向に挟持されるため、化粧カバーはヒンジ主体に取り付けられる。
【００２７】
請求項４に記載の発明によれば、ヒンジ主体の上面部または下面部のうち化粧カバーで被覆される面に係合部材を取り付け、前記係合部材の縁部を前記面の縁部から突出させることにより、ヒンジ主体の両側に係合部が形成される。化粧カバーの内面の両側の凹部でヒンジ主体の両側の係合部を挟持し、化粧カバーはヒンジ主体をヒンジ主体の中心方向に向けて挟持する状態となって、化粧カバーはヒンジ主体に取り付けられる。
【００２８】
請求項５に記載の発明によれば、ヒンジ主体の上面部または下面部のうち化粧カバーで被覆される面にネジ孔が形成され、係合部材は前記ネジ孔に螺合する取付ネジでヒンジ主体に取り付けられる。前記係合部材の縁部を前記面の縁部から突出させることにより、ヒンジ主体の両側に係合部が形成される。化粧カバーの内面の両側の凹部でヒンジ主体の両側の係合部を挟持し、化粧カバーはヒンジ主体をヒンジ主体の中心方向に向けて挟持する状態となって、化粧カバーはヒンジ主体に取り付けられる。
【００２９】
請求項６に記載の発明によれば、扉に既設されているピボットヒンジが、化粧カバーの外面に取付ネジが露出したピボットヒンジであっても、ヒンジ主体の形状はそのまま変更せず、係合部材を取り付け、カバー側部の内面の両側に凹部を形成した新たな化粧カバーを取り付けることにより、取付ネジが露出しないピボットヒンジに改造することができる。
【発明を実施するための最良の形態】
【００３０】
本発明を具体化した実施形態について図１から図１２に従って説明する。尚、以下の説明において上下方向とは、ピボットヒンジ１を扉に取り付けた状態における上下方向とする。
【実施例１】
【００３１】
本発明の実施例１に係るピボットヒンジ１を図１に示す。１１は扉本体６１の上部に設けられる扉側上ヒンジ、１２は扉本体６１の下部に設けられる扉側下ヒンジ、１３は前記扉側上ヒンジ１１に対応する位置であって枠体６２の上部に設けられる枠側上ヒンジ、１４は前記扉側下ヒンジ１２に対応する位置であって枠体６２の下部に設けられる枠側下ヒンジである。ピボットヒンジ１は前記扉側上ヒンジ１１、扉側下ヒンジ１２、枠側上ヒンジ１３、枠側下ヒンジ１４から構成される。ピボットヒンジ１は、図２に示すように、ピボット３５が開き戸６の扉本体６１の厚み外に位置し、枠体６２に対して扉本体６１を開閉自在に取り付ける。扉本体６１に設けられる前記扉側上ヒンジ１１と前記扉側下ヒンジ１２は、それぞれ扉本体６１に固定されるヒンジ基部２を有し、枠体６２に設けられる前記枠側上ヒンジ１３と前記枠側下ヒンジ１４は、それぞれ枠体６２に固定されるヒンジ基部２を有する。また、扉側上ヒンジ１１と枠側下ヒンジ１４はそれぞれピボット３５が設けられるヒンジ主体３を有し、枠側上ヒンジ１３と扉側下ヒンジ１２はそれぞれ軸受け３６が設けられるヒンジ主体３を有する。
【００３２】
図１に示すように、実施例１に係るピボットヒンジ１では、前記扉側上ヒンジ１１、扉側下ヒンジ１２および枠側上ヒンジ１３のヒンジ主体３に化粧カバー４が取り付けられる。これらの化粧カバー４の取り付けには共通する部分があるため、以下では扉側下ヒンジ１２を中心に説明すると、扉側下ヒンジ１２は、図３に示すように、ヒンジ基部２、ヒンジ主体３、化粧カバー４、および係合部材５を有している。
【００３３】
図３に示すように、前記ヒンジ基部２は、扉本体６１の下部に固定される金属製の厚板の部分である（図２参照）。ヒンジ基部２は扉本体６１の内部に収容され、ボルトで固定される。ヒンジ基部２は扉本体６１の内部に収容されて固定されるため、外部に露出しない部分である。
【００３４】
図３に示すように、前記ヒンジ主体３は、前記ヒンジ基部２から連続して扉本体６１の厚み外の位置に延設され、軸受け３６が設けられる部分である。ヒンジ主体３は、前記ヒンジ基部２と同様、金属製の厚板からなる。ヒンジ主体３は上面部３１、下面部３２および側面部３３を有する。上面部３１と下面部３２の先端部は、軸受け３６の形状と略同心である半円形である。上面部３１と下面部３２は、先端部の幅が広く、ヒンジ基部２に接近するに従って幅は漸次狭くなっている。上面部３１には、係合部材５を取り付けるためのネジ孔３４が設けられている。
【００３５】
図４に示すように、扉側下ヒンジ１２の上面部３１には係合部材５が設けられる。係合部材５は、ヒンジ主体３に係合部５１を形成するための部材である。係合部材５は、ステンレスの薄板状部材で形成される。図３に示すように、係合部材５には、前記ヒンジ主体３の上面部３１に設けられたネジ孔３４に対応する位置に透孔５３が形成されている。取付ネジ５２を前記透孔５３に通し、前記上面部３１のネジ孔３４に螺合させて係合部材５が上面部３１に取り付けられる。係合部材５は、先端部は半円形状であり、前記上面部３１の先端部の半円形状よりやや大きく、係合部材５をヒンジ主体３の上面部３１に取り付けた状態では、ヒンジ主体３の上面部３１の縁部から突出する形状である。また、係合部材５の半円形状の部分から後端部にかけては、両側の縁部が略平行に形成されている。図６に示すように、係合部材５をヒンジ主体３の上面部３１に取り付けた状態では、係合部材５の縁部が上面部３１の縁部より両側方向に突出する形状である。係合部材５のうちヒンジ主体３の上面部３１の縁部から突出する部分が係合部５１となる。
【００３６】
図５に示すように、化粧カバー４は、前記ヒンジ主体３を被覆する部材である。化粧カバー４は、ステンレスの薄板状部材で形成される。図３に示すように、化粧カバー４は、カバー天部４１と、カバー側部４２とを有している。前記カバー天部４１は、ヒンジ主体３の上面部３１を被覆する部分であり、前記カバー側部４２は、ヒンジ主体３の側面部３３を被覆する部分である。図５に示すように、カバー天部４１は、先端部は前記係合部材５の半円形状と略同じ大きさの半円形状である。また、カバー天部４１の半円形状の部分から後端部にかけては、前記係合部材５の縁部（係合部５１）の幅と略同じ幅を有している。カバー側部４２は、前記カバー天部４１の縁部に立設されており、カバー天部４１の先端部ではカバー天部４１に沿った半円形状である。カバー天部４１の半円形状の部分から後端部にかけては、カバー天部４１に沿った形状であり、一方のカバー側部４２と他方のカバー側部４２との間隔は、前記係合部材５の幅より僅かに狭くしている。カバー側部４２の上下方向の高さは、ヒンジ主体３の側面部３３を被覆しうる高さを有している。化粧カバー４の後端部はカバー側部４２を形成せず、ヒンジ主体３に被嵌させるための開口部となっている。
【００３７】
図７に示すように、前記カバー側部４２の内面には、凸部４３が設けられる。凸部４３は、カバー側部４２の内側方向に突出する部分であり、カバー天部４１の内面との間に凹部４４を形成する部材である。凸部４３はステンレスの薄板状部材であり、カバー側部４２の両側の内面にスポット溶接手段等で取り付けて形成される。図４に示すように、凸部材４５の平面方向の取り付け位置は、カバー側部４２の内面側の略対向する位置である。
【００３８】
カバー天部４１の内面と凸部４３との間に形成される凹部４４は、図８に示すように、化粧カバー４をヒンジ主体３に被せた状態で、ヒンジ主体３の両側の係合部５１に被嵌させることにより、前記両側の係合部５１をヒンジ主体３の中心方向に挟持する部分である。凹部４４の上下方向の高さは前記ヒンジ主体３の係合部５１の厚みよりやや大とし、凹部４４が係合部５１に被嵌するようにする。一方のカバー側部４２と他方のカバー側部４２との間隔を、前記係合部材５の縁部（係合部５１）の幅より僅かに狭くしているため、一方の凹部４４と他方の凹部４４との間隔は、係合部５１の幅より僅かに狭くなっている。
【００３９】
次に、扉の施工時等において、本実施例に係るピボットヒンジ１のヒンジ主体３に化粧カバー４を取り付ける場合について説明する。まず、図４の状態から、化粧カバー４を後端部からヒンジ主体３に被せていく。図８に示すように、カバー側部４２の内面の両側に形成された凹部４４は、ヒンジ主体３の両側の係合部５１に被嵌させる。一方の側の凹部４４と他方の側の凹部４４との間隔は、係合部５１の幅より僅かに狭くしているため、ヒンジ主体３の両側の係合部５１は、化粧カバー４の内面の両側の凹部４４に圧接し、係合部５１は僅かに弾性変形を生じる。化粧カバー４の凹部４４はヒンジ主体３の係合部５１をヒンジ主体３の中心方向に挟持し、化粧カバー４はヒンジ主体３をヒンジ主体３の中心方向に向けて挟持する状態となって、化粧カバー４はヒンジ主体３に取り付けられる。
【００４０】
また、図５に示すように、カバー天部４１は、先端部は前記係合部材５の半円形状と略同じ大きさの半円形状であり、カバー側部４２は、先端部ではカバー天部４１に沿った半円形状であるため、ヒンジ主体３に化粧カバー４を被嵌させると、カバー側部４２の凹部４４の形成された部分にだけでなく、カバー側部４２の先端部にもヒンジ主体３の係合部５１が当接する。これにより、ヒンジ主体３に対して化粧カバー４の位置がずれにくくなり、化粧カバー４をヒンジ主体３に確実に取り付けることができる。
【００４１】
また、図８に示すように、化粧カバー４の内面側に対向して設けた凸部４３の間隔は、ヒンジ主体３の係合部５１の幅より狭くなっているため、ヒンジ主体３に化粧カバー４を被嵌させると、凸部４３は、ヒンジ主体３の係合部５１の下部に当接し、化粧カバー４がヒンジ主体３の上方向に抜脱することを阻止する抜け止めとなる。
【００４２】
実施例１によれば、以下の効果を有する。
【００４３】
化粧カバー４をヒンジ主体３に被せ、化粧カバー４の内面の両側に形成された凹部４４をヒンジ主体３の両側の係合部５１に被嵌させることにより、化粧カバー４の内面の両側の凹部４４はヒンジ主体３の両側の係合部５１をヒンジ主体３の中心方向に挟持するため、化粧カバー４はヒンジ主体３をヒンジ主体３の中心方向に向けて挟持する状態となって、化粧カバー４はヒンジ主体３に取り付けられる。化粧カバー４の外面に取付ネジ５２を露出させずに化粧カバー４を取り付けることができるため、外観体裁が良好となり、扉のデザイン性を向上させることができる。
【００４４】
ヒンジ主体３に予め切欠部等を形成しておく必要がないため、化粧カバー４を取り付けるためのヒンジ主体３の構造が簡単となり、加工も容易である。
【００４５】
ピボットヒンジ１の回転部分に注油する場合など、ヒンジ主体３から化粧カバー４を外す必要がある場合は、化粧カバー４をヒンジ主体３から引き抜くようにして外すことができる。化粧カバー４が取付ネジ５２で取り付けられている従来のピボットヒンジ１のように、化粧カバー４の着脱の際に取付ネジ５２を外したり、締めたりする必要がなく、化粧カバー４の着脱を迅速に行うことができる。
【実施例２】
【００４６】
次に実施例２について説明する。実施例２では、化粧カバー４の内面に取り付けられる凸部４３に当接部４５を形成している点が、前記実施例１と異なっている。実施例１と同一部分は同一符号を付して詳しい説明は省略する。
【００４７】
前記凸部４３は、図９に示すように、当接部４５と固定部４６とを有する断面略Ｌ字形の部材である。前記当接部４５は、カバー側部４２の内側方向に突出し、カバー天部４１の内面との間に凹部４４を形成する部分であり、自由端側が前記固定部４６に対してやや上方に向くように屈曲している。また、固定部４６は、カバー側部４２の内面に凸部４３を取り付けるための部分である。凸部４３はステンレスの薄板状部材であり、カバー側部４２の両側の内面にスポット溶接手段等で取り付ける。取り付け位置は、当接部４５の自由端側とカバー天部４１との間に形成される凹部４４の上下方向の高さが、係合部５１の厚さよりやや小となるように取り付ける。凸部４３の平面方向の取り付け位置は、カバー側部４２の内面側の略対向する位置である。
【００４８】
次に、実施例２に係るピボットヒンジ１のヒンジ主体３に化粧カバー４を取り付ける場合について説明する。図１０に示すように、化粧カバー４をヒンジ主体３に被せ、化粧カバー４の内面の両側に形成された凹部４４をヒンジ主体３の両側の係合部５１に被嵌させると、実施例１と同様に、化粧カバー４の内面の両側の凹部４４はヒンジ主体３の両側の係合部５１をヒンジ主体３の中心方向に挟持し、化粧カバー４はヒンジ主体３をヒンジ主体３の中心方向に向けて挟持した状態となる。また、凹部４４の上下方向の高さを係合部５１の厚さよりやや小となるようにしているため、凹部４４を係合部５１に被嵌させると、凸部４３の当接部４５および固定部４６が弾性変形し、被嵌されたヒンジ主体３の係合部５１をカバー天部４１と当接部４５とで上下方向に挟持する。従って、化粧カバー４は、ヒンジ主体３の係合部５１をヒンジ主体３の中心方向に挟持するとともに、係合部５１を上下方向に挟持し、化粧カバー４はヒンジ主体３に取り付けられる。
【００４９】
実施例２によれば、化粧カバー４は、ヒンジ主体３の係合部５１をヒンジ主体３の中心方向に挟持するとともに、係合部５１を上下方向に挟持するため、化粧カバー４は、ヒンジ主体３に確実に取り付けられる。
【００５０】
また、化粧カバー４をヒンジ主体３に被せ、化粧カバー４の凹部４４をヒンジ主体３の係合部５１に被嵌させた場合、当接部４５および固定部４６が弾性変形するため、軽い力で化粧カバー４の凹部４４をヒンジ主体３の係合部５１に被嵌させることができ、しかも化粧カバー４をヒンジ主体３に確実に取り付けることができる。
【００５１】
尚、上記説明では、凸部４３の当接部４５は、自由端側が固定部４６に対してやや上方に向くように屈曲しているが、これに限定されず、図１１に示すように、自由端側が固定部４６に対して直角、あるいはやや下方に向くようにしてもよい。この場合は、当接部４５の固定端側が係合部５１に当接して係合部５１を挟持する。また、凸部４３の素材はステンレスを用いたが、これに限定されず、合成樹脂素材など係合部５１を挟持するのに十分な弾性を有する素材を用いて形成してもよい。
【実施例３】
【００５２】
次に、扉に既設されているピボットヒンジが、化粧カバーの外面に取付ネジが露出したピボットヒンジである場合に、このピボットヒンジを改造して、化粧カバーの外面に取付ネジを露出させずに化粧カバーを取り付けたピボットヒンジとする場合について説明する。このような改造を行うためには、ピボットヒンジは、ヒンジ主体３の上面部３１または下面部３２のうち化粧カバー４で被覆されている面にネジ孔３４を有していることが必要である（図３参照）。
【００５３】
改造は、まず、既設の化粧カバーを取り付けている取付ネジを外し、ヒンジ主体３から既設の化粧カバーを除去する。次に係合部材５を前記ネジ孔３４に螺合する取付ネジ５２で取り付けて、当該面の縁部の両側方向に係合部５１を突設させたヒンジ主体３とする（図３参照）。そして、カバー側部４２の内面側に凸部４３と凹部４４とを有する新たな化粧カバー４をヒンジ主体３に被せることにより、化粧カバー４がヒンジ主体３を挟持し、化粧カバー４をヒンジ主体３に取り付ける。
【００５４】
実施例３によれば、扉に既設されているピボットヒンジが、化粧カバーの外面に取付ネジが露出したピボットヒンジであっても、ヒンジ主体３の形状はそのまま変更せずに係合部材５を取り付け、カバー側部４２の内面側に凸部４３と凹部４４とを有する新たな化粧カバー４を取り付けることにより、取付ネジ５２が露出しないピボットヒンジ１に改造することができる。
【００５５】
尚、実施の形態は上記に限定されず、例えば以下のように変更してもよい。
【００５６】
凸部４３は、カバー側部４２の内面側に別部材を取り付けて形成したが、図１２に示すように、カバー側部４２の一部を内面側に突出させることにより、凸部４３を設けてもよい。
【００５７】
係合部材５は、化粧カバー４のカバー天部４１の形状と略同形状としたが、これに限られず、係合部材５の形状は、係合部材５をヒンジ主体３の上面部３１または下面部３２のうち化粧カバー４で被覆される面に取り付けた状態で、ヒンジ主体３の縁部から両側方向に係合部材５の縁部（係合部５１）が突出する状態となる形状であればよい。係合部５１は、少なくとも化粧カバー４の凹部４４が被嵌する位置に設けられればよい。
【００５８】
上記説明では、ピボットヒンジ１を構成する扉側上ヒンジ１１、扉側下ヒンジ１２、枠側上ヒンジ１３および枠側下ヒンジ１４のうち、ヒンジ主体３の上面部３１を化粧カバー４で被覆する扉側下ヒンジ１２について説明したが、図１に示すように、扉側上ヒンジ１１の場合は、化粧カバー４で下面部３２を被覆するため、係合部材５はヒンジ主体３の下面部３２の縁部より係合部５１を突設させるように取り付ける。また、図１に示すように、枠側上ヒンジ１３の場合は、化粧カバー４で下面部３２を被覆するが、化粧カバー４のカバー天部４１にはピボット３５が貫通するため、ピボット３５を貫通させるための穴をカバー天部４１に設ける。
【図面の簡単な説明】
【００５９】
【図１】本発明の実施例１に係るピボットヒンジ１の斜視図である。１１は扉本体６１の上部に設けられる扉側上ヒンジ、１２は扉本体６１の下部に設けられる扉側下ヒンジ、１３は前記扉側上ヒンジ１１に対応する位置であって枠体６２の上部に設けられる枠側上ヒンジ、１４は前記扉側下ヒンジ１２に対応する位置であって枠体６２の下部に設けられる枠側下ヒンジである。
【図２】開き戸６の厚み方向の断面簡略図である。
【図３】扉側下ヒンジ１２を分解した状態の斜視図である。
【図４】扉側下ヒンジ１２を分解した状態の平面図である。
【図５】扉側下ヒンジ１２の平面図である。
【図６】図４の６−６線における端面図である。
【図７】図４の７−７線における端面図である。
【図８】図５の８−８線における端面図である。
【図９】実施例２に係るピボットヒンジ１の化粧カバー４の端面図である。
【図１０】実施例２に係るピボットヒンジ１のヒンジ主体３に化粧カバー４を取り付けた状態の端面図である。
【図１１】実施例２の他の例に係るピボットヒンジ１の化粧カバー４の端面図である。
【図１２】本発明の他の実施例に係る化粧カバー４の端面図である。
【符号の説明】
【００６０】
１      ピボットヒンジ
１１    扉側上ヒンジ
１２    扉側下ヒンジ
１３    枠側上ヒンジ
１４    枠側下ヒンジ
２      ヒンジ基部
３      ヒンジ主体
３１    上面部
３２    下面部
３３    側面部
３４    ネジ孔
３５    ピボット
３６    軸受け
４      化粧カバー
４１    カバー天部
４２    カバー側部
４３    凸部
４４    凹部
４５    当接部
４６    固定部
５      係合部材
５１    係合部
５２    取付ネジ
５３    透孔
６      開き戸
６１    扉本体
６２    枠体
【図１】
2006328689.tif 000003
【図２】
2006328689.tif 000004
【図３】
2006328689.tif 000005
【図４】
2006328689.tif 000006
【図５】
2006328689.tif 000007
【図６】
2006328689.tif 000008
【図７】
2006328689.tif 000009
【図８】
2006328689.tif 000010
【図９】
2006328689.tif 000011
【図１０】
2006328689.tif 000012
【図１１】
2006328689.tif 000013
【図１２】
2006328689.tif 000014